(57)【要約】      （修正有）【課題】開放型ハンドルからフックの脱落を抑制するとともに、手で保持する際にカップを安定して保持可能なカップを提供する。【解決手段】カップ１０は、カップ本体２０と、カップ本体２０に接続されるハンドル３０を備える。ハンドル３０は、カップ本体２０の開口近傍に一端が接続されるとともに他端はカップ本体２０から離間された開放型ハンドルである。ハンドル３０は、アーム４０及び円環状のリング５０を備える。アーム４０は、ハンドル３０の一端から他端に向かって延設される。リング５０は、アーム４０に接続されハンドル３０の他端に設けられる。また、リング５０は、カップ本体２０の周方向に沿って通し孔が形成される。さらに、リング５０は、アーム４０と比較して、カップ本体２０の周方向に沿った幅が短い。【選択図】図１
0003223807.tif 000002
【実用新案登録請求の範囲】
【請求項１】
カップ本体と、
前記カップ本体に接続されるハンドルと、
を備えるカップであって、
前記ハンドルは、前記カップ本体の開口近傍に一端が接続されるとともに、他端は前記カップ本体から離間された開放型ハンドルであって、
前記開放型ハンドルは、
前記一端から前記他端に向かって延設されるアームと、
前記アームに接続され前記開放型ハンドルの前記他端に設けられ、前記カップ本体の周方向に沿って通し孔が形成された円環状のリングと、
を備え、
前記リングは、前記アームと比較して、前記カップ本体の周方向に沿った幅が短い、
カップ。
【請求項２】
請求項１に記載のカップであって、
前記アームは、
前記カップ本体の開口近傍に一端が接続されるとともに当該カップ本体の径方向外側に延設される張出部と、
前記張出部の他端に一端が接続され、前記張出部に対して傾斜して前記カップ本体の軸方向に沿って延設される中央部と、
前記中央部の他端に一端が接続されるとともに他端が前記リングに接続され、前記中央部に対して傾斜して前記カップ本体の軸方向に沿って延設される、下端部と、
を備え、
前記中央部の外表面の延長線が、前記リングの外表面の接線となる、
カップ。
【請求項３】
請求項２に記載のカップであって、
前記張出部と前記中央部との開き角が鈍角である、
カップ。
【考案の詳細な説明】
【技術分野】
【０００１】
本考案は飲料用のカップに関する。
【背景技術】
【０００２】
例えば手に麻痺のある等の理由で、握る動作及び開く動作が困難な要介護者等のために、持ち易い形状のカップが従来から知られている。例えば特許文献１では、カップの取っ手部分であるハンドルの形状として、下方が開放された開放型ハンドルが使用されている。ハンドルの開放端から手を差し入れることで、手にハンドルを引っ掛けてカップを保持できる。
【先行技術文献】
【特許文献】
【０００３】
【特許文献１】実用新案登録第３２０１４９１号公報
【考案の概要】
【考案が解決しようとする課題】
【０００４】
ところで、開放型ハンドルを用いる場合、ハンドルにフック等の支持具を通して、カップを支持させようとすると、例えばカップの開口を下方に向ける等、カップの姿勢によってはフックからハンドルが脱落する。
【０００５】
そこで本考案は、開放型ハンドルからフックの脱落を抑制するとともに、手で保持する際にカップを安定して保持可能な、カップを提供することを目的とする。
【課題を解決するための手段】
【０００６】
本考案はカップに関する。当該カップは、カップ本体と、カップ本体に接続されるハンドルを備える。ハンドルは、カップ本体の開口近傍に一端が接続されるとともに他端はカップ本体から離間された開放型ハンドルである。開放型ハンドルは、アーム及び円環状のリングを備える。アームは、開放型ハンドルの一端から他端に向かって延設される。リングは、アームに接続され開放型ハンドルの他端に設けられる。また、リングは、カップ本体の周方向に沿って通し孔が形成される。さらに、リングは、アームと比較して、カップ本体の周方向に沿った幅が短い。
【０００７】
上記考案によれば、開放型ハンドルにリングを設け、当該リングにフックを通すことで、カップの姿勢によらずに、ハンドルからフックの脱落を抑制可能となる。また上記考案によれば、アームを幅広にするとともにリングの幅を狭くすることができる。アームを幅広とすることで、手で保持する際に安定してカップを保持可能となる。またリングの幅を狭くすることで、当該リングの通し孔の軸方向長さが短くなり、小径のフック等、様々な形状のフックを通すことができる。
【０００８】
また上記考案において、アームは、張出部、中央部、及び下端部を設けてもよい。張出部は、カップ本体の開口近傍に一端が接続されるとともに当該カップ本体の径方向外側に延設される。中央部は、張出部の他端に一端が接続され、張出部に対して傾斜してカップ本体の軸方向に沿って延設される。下端部は、中央部の他端に一端が接続されるとともに他端がリングに接続される。また下端部は、中央部に対して傾斜してカップ本体の軸方向に沿って延設される。さらに中央部の外表面の延長線が、リングの外表面の接線となる。
【０００９】
上記考案によれば、アームの中央部をテーブル表面等の載置面上に置いたときに、リングとアームとによって、カップを支持可能となる。
【００１０】
また上記考案において、張出部と中央部との開き角が鈍角であってよい。
【００１１】
上記考案によれば、アームの中央部をテーブル表面等の載置面上に置いたときに、カップ本体が前傾姿勢となるので、カップ本体の水切りが促進される。
【考案の効果】
【００１２】
本考案によれば、開放型ハンドルからフックの脱落を抑制可能となるとともに、手で保持する際にカップを安定して保持可能となる。
【図面の簡単な説明】
【００１３】
【図１】本実施形態に係るカップと蓋を例示する斜視図である。
【図２】本実施形態に係るカップと蓋を例示する断面図である。
【図３】ハンドルを正面視するアングルにおける、本実施形態に係るカップを例示する図である。
【図４】ハンドルの形状について説明する図である。
【図５】本実施形態に係るカップを複数個積み重ねたときの例を示す図である。
【図６】本実施形態に係るカップを手で保持したときの例を示す図である。
【図７】本実施形態に係るカップを、ハンドルを下にして置いたときの例を示す図である。
【図８】本実施形態に係るカップをフックに引っ掛けたときの例を示す図である。
【考案を実施するための形態】
【００１４】
図１には、本実施形態に係るカップ１０と、カップ１０に被せられる蓋１００が例示される。また図２には、カップ１０及び蓋１００の断面図が例示される。例えばカップ１０及び蓋１００は、要介護者用の飲料容器として、介護施設等で使用される。
【００１５】
蓋１００は、例えばポリエチレン等の樹脂材料から形成される。蓋１００は、略円盤形状であって、その中心部にストロー挿入口１０２が設けられる。また蓋１００の径方向外側に、舌片部１０６が設けられる。
【００１６】
図１、図２を参照して、ストロー挿入口１０２には十字の切り込みが形成され、この切り込みの周辺にフラップ１０４が形成される。フラップ１０４はその周辺の部材よりも肉薄に形成される。ストロー挿入口１０２にストローを挿す際に、ストローがフラップ１０４を押し退けながら挿入される。
【００１７】
蓋１００の内面、つまりカップ１０の開口２８と対向する面には、その外縁に溝１０８が形成される。カップ１０の縁２６を溝１０８に嵌め込むことで、蓋１００がカップ１０に固定される。また舌片部１０６を持ち上げることで、カップ１０から蓋１００を取り外すことができる。
【００１８】
カップ１０は、例えばポリプロピレン等の樹脂材料から形成される。カップ１０は、飲料が注がれるカップ本体２０と、カップ本体２０に接続される、取っ手部材であるハンドル３０を備える。
【００１９】
図２、図３を参照して、例えばカップ本体２０は半透明であって、注がれた飲料の液面がカップ本体２０の外表面から視認可能となっている。
【００２０】
またカップ本体２０は、大径部２２及び小径部２４を備えた段差構造となっている。大径部２２は相対的にカップ１０の開口２８側に形成され、小径部２４は相対的にカップ本体２０の底側に形成される。
【００２１】
カップ本体２０がこのような段差構造を備えることで、例えば図５に例示されるように、複数のカップ１０，１０を積み重ねることができる。つまり、大径部２２と小径部２４との間の段差構造を引っ掛かりとして、複数のカップ１０，１０が積み重ねられる。
【００２２】
図３を参照して、カップ本体２０の外表面にはリブ６２及びドット模様６０が形成される。リブ６２はカップ本体２０の外表面から径方向外側に張り出され、カップ本体２０の周方向に延設される。またドット模様６０は、カップ本体２０の外表面に、カップ本体２０の周方向に沿って所定間隔で複数印字される。
【００２３】
例えばカップ本体２０の中心軸Ｌ１（図２参照）方向に沿って、リブ６２とドット模様６０とが交互に設けられる。例えばリブ６２及びドット模様６０は、５０ｍｌ間隔で交互に設けられる。すなわちカップ本体２０の容積が５０ｍｌ、１００ｍｌ、１５０ｍｌ、２００ｍｌ、２５０ｍｌ、３００ｍｌ、３５０ｍｌとなる液面レベルに、リブ６２とドット模様６０とが交互に設けられる。
【００２４】
上述したように、カップ本体２０は半透明であって、カップ本体２０の外表面から注がれた飲料の液面を視認可能となっている。このようなカップ本体２０の外表面に、目盛りとなるリブ６２とドット模様６０とが設けられることで、カップ本体２０に注がれた飲料の量を把握可能となる。
【００２５】
図１、図２、図４を参照して、ハンドル３０はいわゆる開放型ハンドルであって、カップ本体２０の開口２８近傍に一端が接続されるとともに、他端はカップ本体２０から離間される。ハンドル３０を開放型ハンドルとすることで、図６に例示されるように、ハンドル３０の開放端から手を差し入れることでカップ１０を保持可能となる。
【００２６】
ハンドル３０とカップ本体２０との離間距離は、成人の手の厚みに基づいて定められる。例えば図４を参照して、ハンドル３０のアーム４０の中央部４４の上端とカップ本体２０との離間距離である最小距離Ｄ１は、１５ｍｍ以上２０ｍｍ以下となるように定められる。また、アーム４０の中央部４４の下端とカップ本体２０との離間距離である最大距離Ｄ２は、２０ｍｍ以上３５ｍｍ以下となるように定められる。ハンドル３０の離間距離が上方から下方に行くにしたがって拡がることで、様々な手の厚みに対応可能となる。
【００２７】
開放型のハンドル３０はアーム４０及びリング５０を備える。アーム４０は板状の部材であって、ハンドル３０の一端、つまりカップ本体２０の開口２８近傍に接続される端部から、他端に向かって延設される。この他端にリング５０が接続される。言い換えると、リング５０は、ハンドル３０の、カップ本体２０と接続された一端に対向する他端に設けられる。
【００２８】
アーム４０は、その延設方向に応じて、張出部４２、中央部４４、及び下端部４６に分けることができる。図２、図４を参照して、張出部４２は、カップ本体２０の開口２８近傍に一端が接続されるとともに、カップ本体２０の径方向外側に直線的に延設される。例えば張出部４２は、カップ本体２０の中心軸Ｌ１とは垂直に延設される。
【００２９】
張出部４２の他端に中央部４４の一端が接続される。中央部４４は張出部４２に対して傾斜して、カップ本体２０の中心軸Ｌ１方向に沿って延設される。中央部４４は例えば直線状に延設される。中央部４４は張出部４２及び下端部４６よりも長く形成される。
【００３０】
また、張出部４２と中央部４４との開き角θ１は鈍角であってよい。開き角θ１とは、張出部４２と中央部４４の内表面、つまりカップ本体２０と対向する側の表面が成す角を指す。開き角θ１が鈍角となることで、後述する図７に例示されるように、カップ本体２０が前傾姿勢の状態でカップ１０を置くことができ、水切りが促進される。
【００３１】
図４を参照して、中央部４４の他端（下端）に下端部４６の一端（上端）が接続される。下端部４６は中央部４４に対して傾斜して、カップ本体２０の中心軸Ｌ１方向に沿って延設される。例えば下端部４６は中央部４４よりもカップ本体２０側に寝かされるようにして延設される。
【００３２】
下端部４６の他端（下端）にリング５０が接続される。リング５０はハンドル３０の他端（下端）に設けられる円環状の部材である。リング５０はカップ本体２０の周方向に沿って通し孔５２が形成される。後述する図８のように、この通し孔５２にフック７２が挿入される。通し孔５２の径（内径）は、例えば５ｍｍ以上１０ｍｍ以下であってよい。
【００３３】
図４を参照して、中央部４４の外表面４５の延長線Ｌ２は、リング５０の外表面５４の接線となる。このような構成とすることで、後述する図７のように、アーム４０及びリング５０でカップ１０を支持可能となる。
【００３４】
図３を参照して、リング５０の、カップ本体２０の周方向に沿った幅Ｗ２は、アーム４０の、カップ本体２０の周方向に沿った幅Ｗ１よりも短く形成される。例えばアーム４０について、安定してカップ１０を手７０で保持するため（図６参照）、また、アーム４０を支持台としてカップ１０を支持するため（図７参照）に、幅Ｗ１は広い方が好ましい。その一方で、リング５０については、小径のフック等、様々な形状のフック７２が通し孔５２（図４参照）に挿入可能となるように、幅Ｗ２は短い方が好ましい。
【００３５】
そこで本実施形態では、アーム４０を相対的に幅広とし、リング５０の幅を相対的に短くすることで、アーム４０によるカップ１０の保持及び支持の安定性と、リング５０にフック７２を挿入する際の容易性とを両立させている。
【００３６】
図７には、カップ１０がテーブル等の載置面７４上に置かれた時の様子が例示される。この図では、ハンドル３０が支持台として用いられる。つまり、アーム４０の中央部４４の外表面４５を下面として、載置面７４上にカップ１０が置かれる。この時、中央部４４とリング５０とによってカップ１０が支持される。
【００３７】
また上述したように、アーム４０の張出部４２（図４参照）と中央部４４との開き角θ１が鈍角であるため、図７のようにアーム４０を下にしてカップ１０を載置すると、カップ本体２０は、その開口２８が斜め下を向く前傾姿勢となる。その結果カップ本体２０内の水切りが促進される。
【００３８】
図８には、カップ１０をフック７２に引っ掛けたときの例が示される。リング５０の通し孔５２にフック７２が通される。リング５０は閉じた円環形状であるから、カップ１０の姿勢によらず、リング５０からのフック７２の脱落が抑制される。
【００３９】
また、リング５０の幅Ｗ２（図３）がアーム４０と比較して短くなるように形成されているので、曲率半径の小さいフック７２であっても、通し孔５２に挿入可能となる。
【符号の説明】
【００４０】
１０  カップ、２０  カップ本体、２２  カップ本体の大径部、２４  カップ本体の小径部、２６  カップの縁、２８  カップの開口、３０  ハンドル、４０  アーム、４２  アームの張出部、４４  アームの中央部、４５  アーム中央部の外表面、４６  アームの下端部、５０  リング、５２  通し孔、５４  リングの外表面、６０  ドット模様、６２  リブ、７２  フック、７４  載置面、１００  蓋、１０２  ストロー挿入口。
【図１】
0003223807.tif 000003
【図２】
0003223807.tif 000004
【図３】
0003223807.tif 000005
【図４】
0003223807.tif 000006
【図５】
0003223807.tif 000007
【図６】
0003223807.tif 000008
【図７】
0003223807.tif 000009
【図８】
0003223807.tif 000010